(57)【要約】【課題】所望の静止画映像を確実に表示させることができるようにする。【解決手段】映像データを、メモリコントローラ１９をスルーさせて映像信号処理部２２を介して表示部２３で表示させると共に、巡回型メモリ２１に所定フレーム数の映像データを順次更新するように記憶させる。リモートコントローラ１７から、静止画表示要求があった際に、巡回型メモリ２１の映像データの更新を停止すると共に、動き検出部２０で映像の動きを検出し、動きが検出された場合に、巡回型メモリ２１に記憶された所定フレーム数の映像データを繰り返し読み出して静止画仕様の動画として表示し、動きが検出されない場合に、巡回型メモリ２１に記憶された１フレームまたは１フィールドの映像データを繰り返し読み出して静止画を表示させる。【選択図】      図１
2004357054.tif 000002
【特許請求の範囲】
【請求項１】
映像信号に基づく映像を表示する表示手段と、
入力映像信号の複数のフレームを含む所定期間の信号を順次更新しながら記憶する記憶手段と、
操作入力によって入力される静止画表示要求によって、前記入力映像信号に基づく静止画を前記表示手段で表示させる表示制御手段とを備えた映像表示装置であって、
前記表示制御手段は、前記入力映像に基づく映像の動きを検出する動き検出手段と、前記静止画表示要求に基づき前記記憶手段の記憶更新処理を停止すると共に前記動き検出手段によって動きが検出された場合は、前記記憶手段に記憶された前記静止画表示要求が入力されたタイミングより前のフレームを含む複数フレームの映像信号を順次繰り返し読み出して前記表示手段で表示させるべく出力し、かつ前記動き検出手段で動きが検出されない場合は、前記記憶手段に記憶された１フレームまたは１フィールドの映像信号を継続的に読み出して前記表示手段で表示させるべく出力するメモリ制御手段と、
を具備したことを特徴とする映像表示装置。
【請求項２】
前記メモリ制御手段は、当該メモリ制御手段によって前記記憶手段から複数のフレームの映像信号が順次繰返して読み出されている際に、前記操作入力によって入力される第２の静止画表示要求によって、前記記憶手段に記憶されている映像信号の１フレームまたは１フィールドを特定して前記表示手段で表示させるべく出力するように構成されていることを特徴とする請求項１に記載の映像表示装置。
【請求項３】
映像信号に基づく映像を表示する表示手段と、
入力映像信号の複数フレーム分の信号を順次更新しながら記憶する記憶手段と、
前記入力映像信号に基づく映像のみを前記表示手段で表示させる第１の表示形態と、前記入力映像信号の前記記憶手段への新たな記憶を停止し記憶された映像信号を読み出してその画像を前記入力映像信号に基づく映像と共にあるいは単独で前記表示手段で表示する第２の表示形態とを切換える表示切換え手段と、
前記入力映像信号の動きを検出する動き検出手段と、
前記表示切換え手段によって前記第２の表示形態に切換えられた際に、前記動き検出手段が当該映像に動きがないと検出した場合に前記記憶手段に記憶された映像信号の１フレームまたは１フィールドの映像信号を継続的に読み出して前記表示手段で表示させ、当該映像に動きがあると検出した場合に前記記憶手段に記憶された複数フレームの映像信号を繰り返し順次読み出して前記表示手段に表示させる表示制御手段と、
を具備したことを特徴とする映像表示装置。
【請求項４】
映像信号に基づく画像を表示する表示手段と、
入力映像信号の複数フレーム分の信号を順次更新しながら記憶する記憶手段と、
前記入力映像信号の映像のみを前記表示手段で表示させる第１の表示形態と、前記入力映像信号の前記記憶手段への新たな記憶を停止し記憶された映像信号を読み出してその映像を前記入力映像信号に基づく映像と共にあるいは単独で前記表示手段で表示する第２の表示形態とを切換える表示切換え手段と、
前記入力映像信号の動きの量を検出する動き検出手段と、
前記表示切換え手段によって前記第２の表示形態に切換えられた際に、前記記憶手段に記憶された映像信号を、前記動き検出手段によって検出された前記映像信号の動き量に応じたフレーム数またはフィールド数繰り返し順次読み出して前記表示手段で表示させる表示制御手段と、
を具備したことを特徴とする映像表示装置。
【請求項５】
前記表示制御手段は、前記動き検出手段によって前記映像信号の動き量が第１の値以下であると検出された場合に前記記憶手段から１フレームまたは１フィールドの映像信号を読み出して前記表示手段で表示させ、前記映像信号の動き量が第２の値以上であると検出された場合に前記記憶手段に記憶された全ての映像信号を繰り返し順次読み出して前記表示手段で表示させ、前記動き量が前記第１の値と第２の値の中間にある場合に前記記憶手段から動き量に応じたフレーム数またはフィールド数繰り返し順次読み出して前記表示手段で表示させるものであることを特徴とする映像表示装置。
【請求項６】
映像信号に基づく映像を表示する表示手段と、
入力映像信号の複数フレーム分の信号を順次更新しながら記憶する記憶手段と、
前記入力映像信号の映像を前記表示手段で表示させる第１の表示形態と、前記入力映像信号の前記記憶手段への新たな記憶を停止し記憶された映像信号を読み出してその映像を前記表示手段で表示する第２の表示形態とを切換える表示切換え手段と、
前記表示切換え手段によって前記第２の表示形態に切換えられた際に、前記記憶手段に記憶された複数フレームの映像信号を繰り返し順次読み出して前記表示手段に表示させる表示制御手段と、
を具備したことを特徴とする映像表示装置。
【請求項７】
前記表示切換え手段は、操作入力によって入力される静止画表示要求によって表示を切換えるものであることを特徴とする請求項３乃至６のいずれかに記載の映像表示装置。
【請求項８】
前記表示切換え手段は、操作入力によって入力される静止画表示要求によって表示を切換えた後、同じ操作入力によって静止画表示を解除するものであることを特徴とする請求項７に記載の映像表示装置。
【請求項９】
入力映像信号を順次内容を更新させながら所定期間記憶させるステップと、
前記入力映像信号の動きを検出するステップと、
スチル再生要求信号によって駆動され、当該要求信号が供給された際に前記記憶ステップの更新を停止させ、さらに前記入力映像信号の動き検出処理を参照して、前記記憶された映像信号を動画として読み出して表示させか前記記憶された映像信号を静止画として読み出して表示させるか制御するステップと、
を具備したことを特徴とする映像表示方法。
【請求項１０】
入力映像信号を順次内容を更新させながら所定期間記憶させるステップと、
スチル再生要求信号によって駆動され、当該要求信号が供給された際に前記記憶ステップの更新を停止させ、さらに前記記憶された映像信号を前記所定期間の動画として繰り返し読み出して表示させるステップと、
を具備したことを特徴とする映像表示方法。
【発明の詳細な説明】
【０００１】
【発明の属する技術分野】
この発明は、映像表示装置に関し、特に表示中の映像信号に基づく静止画像を表示するための映像表示装置及び映像表示方法に関する。
【０００２】
【従来の技術】
従来、例えば、テレビジョン受像機においては、陰極線管等の表示手段で表示して視聴している映像を、静止画として表示させる機能を備えているものがある。
そのようなテレビジョン受像機では、視聴者は、料理番組あるいはクイズ番組等を視聴中に、料理のレシピあるいはクイズの回答の宛先等が表示された画面を静止画として表示させてメモに写すというような使い方をすることができる。
実際の操作としては、目的の情報が表示されている際に、例えばリモートコントローラの静止画ボタンを操作して、所定のコマンドを受像機に送り、受像機がそれを受けて例えば１フレームの映像信号をメモリに記憶させてそれを連続して読み出して静止画として表示させる。その際、静止画は画面の一部（例えば半分）に表示させ、残り部分には、リアルタイムの映像信号に基づく映像を表示する。
【０００３】
このような静止画像表示機能は、当然ながら、前述した文字情報の表示に留まらず、ニュース番組、スポーツ番組等でも活用されることがある。例えば、事件現場の映像を静止映像で固定して見たり、スポーツの得点シーンを静止映像で見るというような使われ方をする場合もある。
【０００４】
一般的なテレビジョン受像機の静止映像表示機能は、視聴者からリモートコントローラ等による静止画表示要求が発せられた際に、表示中の映像信号を一旦メモリへ記憶し、それを読み出して表示手段に供給するという信号処理を行なう。このために、視聴者が静止画表示要求を発した画面と、実際に静止画として表示される画面には、若干の時間的ずれが発生し、スポーツ番組の得点シーン等動きの速い映像であった場合には、視聴者が望んだ画像とは異なった映像が静止映像として表示されてしまうことがあった。
【０００５】
例えば、テレビジョン受像機で番組を視聴中に、見過ごしてしまったシーンを過去に遡って視聴可能とするために、所定時間の映像信号を順次更新するように常時メモリに蓄積しておいて、視聴者のリクエストに基づいて、メモリに蓄積された映像信号を読み出して映出するようにした提案が特許文献１に示されている。この提案によれば、６０秒間分の映像信号をインデックスコードと共にメモリに記憶させておき、視聴者がインデックスコードに基づいてシーンを特定することでそのシーンを静止画あるいは動画として映出することができる。この提案でも、静止画を表示しようとした際に、映像の動きが速いと、シーンを的確に特定することができないという問題を有している。
【０００６】
【特許文献１】
特開２００１−２４９５７号公報（第２頁、図１）
【０００７】
【発明が解決しようとする課題】
以上のように、従来、視聴中の映像の所望のシーンを確実に抽出して表示できるようにした装置が待望されているが満足できるものがなく、その実現が強く要望されていた。
本発明は、以上の点に対処してなされたものであり、映像信号を表示中に、その映像信号の所定期間の信号を順次更新するように記憶するメモリを備えて、視聴者から静止画表示要求があった際に、映像信号が動画であるか否か判定して、その判定結果に基づいてメモリから信号を読み出して表示させるように構成することで映像の所望シーンを確実に映出することができるようにした映像表示装置及び映像表示方法を提供することを目的とする。
【０００８】
【課題を解決するための手段】
本発明の映像表示装置は、映像信号に基づく映像を表示する表示手段と、入力映像信号の複数のフレームを含む所定期間の信号を順次更新しながら記憶する記憶手段と、操作入力によって入力される静止画表示要求によって、前記入力映像信号に基づく静止画を前記表示手段で表示させる表示制御手段とを備えた映像表示装置であって、前記表示制御手段は、前記入力映像に基づく映像の動きを検出する動き検出手段と、前記静止画表示要求に基づき前記記憶手段の記憶更新処理を停止すると共に前記動き検出手段によって動きが検出された場合は、前記記憶手段に記憶された前記静止画表示要求が入力されたタイミングより前のフレームを含む複数フレームの映像信号を順次繰り返し読み出して前記表示手段で表示させるべく出力し、かつ前記動き検出手段で動きが検出されない場合は、前記記憶手段に記憶された１フレームまたは１フィールドの映像信号を継続的に読み出して前記表示手段で表示させるべく出力するメモリ制御手段と、を具備したことを特徴とする。
【０００９】
本発明によれば、動きの速い映像であっても、所望シーンを確実に映出することができるものである。
本発明の映像表示装置は、映像信号に基づく映像を表示する表示手段と、入力映像信号の複数フレーム分の信号を順次更新しながら記憶する記憶手段と、前記入力映像信号に基づく映像のみを前記表示手段で表示させる第１の表示形態と、前記入力映像信号の前記記憶手段への新たな記憶を停止し記憶された映像信号を読み出してその画像を前記入力映像信号に基づく映像と共にあるいは単独で前記表示手段で表示する第２の表示形態とを切換える表示切換え手段と、前記入力映像信号の動きを検出する動き検出手段と、前記表示切換え手段によって前記第２の表示形態に切換えられた際に、前記動き検出手段が当該映像に動きがないと検出した場合に前記記憶手段に記憶された映像信号の１フレームまたは１フィールドの映像信号を継続的に読み出して前記表示手段で表示させ、当該映像に動きがあると検出した場合に前記記憶手段に記憶された複数フレームの映像信号を繰り返し順次読み出して前記表示手段に表示させる表示制御手段と、を具備したことを特徴とする。
【００１０】
本発明によれば、動きの速い映像であっても、所望シーンを確実に映出することができるものである。
本発明の映像表示装置は、映像信号に基づく画像を表示する表示手段と、入力映像信号の複数フレーム分の信号を順次更新しながら記憶する記憶手段と、前記入力映像信号の映像のみを前記表示手段で表示させる第１の表示形態と、前記入力映像信号の前記記憶手段への新たな記憶を停止し記憶された映像信号を読み出してその映像を前記入力映像信号に基づく映像と共にあるいは単独で前記表示手段で表示する第２の表示形態とを切換える表示切換え手段と、前記入力映像信号の動きの量を検出する動き検出手段と、前記表示切換え手段によって前記第２の表示形態に切換えられた際に、前記記憶手段に記憶された映像信号を、前記動き検出手段によって検出された前記映像信号の動き量に応じたフレーム数またはフィールド数繰り返し順次読み出して前記表示手段で表示させる表示制御手段と、を具備したことを特徴とする。
【００１１】
本発明によれば、本発明によれば、動きの速い映像であっても、所望シーンを確実に映出することができるものである。
本発明の映像表示装置は、映像信号に基づく映像を表示する表示手段と、入力映像信号の複数フレーム分の信号を順次更新しながら記憶する記憶手段と、前記入力映像信号の映像を前記表示手段で表示させる第１の表示形態と、前記入力映像信号の前記記憶手段への新たな記憶を停止し記憶された映像信号を読み出してその映像を前記表示手段で表示する第２の表示形態とを切換える表示切換え手段と、前記表示切換え手段によって前記第２の表示形態に切換えられた際に、前記記憶手段に記憶された複数フレームの映像信号を繰り返し順次読み出して前記表示手段に表示させる表示制御手段と、を具備したことを特徴とする。
【００１２】
本発明によれば、本発明によれば、動きの速い映像であっても、所望シーンを確実に映出することができるものである。
本発明の映像表示方法は、入力映像信号を順次内容を更新させながら所定期間記憶させるステップと、前記入力映像信号の動きを検出するステップと、スチル再生要求信号によって駆動され、当該要求信号が供給された際に前記記憶ステップの更新を停止させ、さらに前記入力映像信号の動き検出処理を参照して、前記記憶された映像信号を動画として読み出して表示させか前記記憶された映像信号を静止画として読み出して表示させるか制御するステップと、を具備したことを特徴とする。
【００１３】
本発明によれば、本発明によれば、動きの速い映像であっても、所望シーンを確実に映出することができるものである。
本発明の映像表示方法は、入力映像信号を順次内容を更新させながら所定期間記憶させるステップと、スチル再生要求信号によって駆動され、当該要求信号が供給された際に前記記憶ステップの更新を停止させ、さらに前記記憶された映像信号を前記所定期間の動画として繰り返し読み出して表示させるステップと、を具備したことを特徴とする。
【００１４】
本発明によれば、本発明によれば、動きの速い映像であっても、所望シーンを確実に映出することができるものである。
【００１５】
【発明の実施の形態】
以下、図面を参照して、本発明に係る映像表示装置を詳細に説明する。図１は、本発明の映像表示装置を備えたテレビジョン受像機のブロック回路図である。図１においてテレビジョン受像機１０は、図示しないアンテナからのデジタル放送信号を受けるアンテナ入力端子１１を備えている。入力端子１１は、チューナ／復調部１２に接続されており、放送信号はここで、所望のチャンネル選局と復調処理が施され、さらに誤り訂正が実行されてトランスポートストリーム（ＴＳ）信号として、デマルチプレクサ１３に導出される。
【００１６】
チューナ／復調部１２は、バス１４を介してＭＰＵ（Ｍｉｃｒｏ  Ｐｒｏｃｅｓｓｉｎｇ  Ｕｎｉｔ）１５に接続され、ＭＰＵ１５からの制御信号によって所望のチャンネルの選局処理が実行される。実際には、入力部１６がバス１４に接続され、この入力部１６を介して視聴者が制御信号をバス１４に送りＭＰＵ１５を制御するように構成されている。入力部１６は、受像機１０に設けられた複数の操作ボタンで構成されるかあるいは、リモートコントローラ１７からの信号を受ける受信部として構成される。
【００１７】
チューナ／復調部１２から導出されるＴＳ信号は、放送番組を構成する映像データ、音声データの他、付加情報として番組情報、天気予報等のデータ情報等がパケット構成で多重されおり、デマルチプレクサ１３は、それらデータをＭＰＵ１５からの制御信号によって分離抽出する。
【００１８】
デマルチプレクサ１３で抽出された番組を構成する映像データは、ＭＰＥＧ（Ｍｏｖｉｎｇ  Ｐｉｃｔｕｒｅ  Ｅｘｐｅｒｔｓ  Ｇｒｏｕｐ）２規格によって圧縮されており、ＭＰＥＧデコーダ１８によってデコードされて非圧縮のデジタルデータに変換されメモリコントローラ１９と動き検出部２０に供給される。
【００１９】
メモリコントローラ１９に供給された映像データは、巡回型メモリ２１に、順次更新されるように記憶されると共に、そのまま映像信号処理部２２に供給され、ここで必要に応じて例えば２画面表示用の信号への変換、あるいはＯＳＤ（Ｏｎ  Ｓｃｒｅｅｎ  Ｄｉｓｐｌａｙ）等のグラフィックの重畳等の処理を施されると共に、アナログ信号への変換と標準テレビジョン方式（ＮＴＳＣ：Ｎａｔｉｏｎａｌ  Ｔｅｌｅｖｉｓｉｏｎ  Ｓｙｓｔｅｍ  Ｃｏｍｍｉｔｔｅｅ）へのエンコードが行なわれ、表示部２３に供給されて表示される。なお、音声データに関しては、ＭＰＥＧデコーダ１８あるいは図示しない他のデコーダによって、非圧縮の音声信号に変換され図示しない処理部に供給されてスピーカ等の出力手段によって音声として出力される。
【００２０】
図１に戻って、巡回型メモリ２１は、メモリコントローラ１９の制御の下、順次新しいデータに更新しながら、常に所定量、例えば９０フレーム分の映像データを記憶するものである。
メモリコントローラ１９は、通常は、入力される映像データを巡回メモリ２１に供給しつつ、その一方で、入力映像データをそのまま映像信号処理部２２に導出し、それに基づく映像を表示部２３で表示させるように動作するが、ＭＰＵ１５からの制御信号によって、巡回型メモリ２１へ記憶されている映像データの更新を停止して、記憶された映像データを読出して、ＭＰＥＧデコーダ１８の出力と共に、あるいは単独で映像信号処理部２２に導出する。このときのＭＰＵ１５からの制御信号は、例えば、リモートコントローラ１７を視聴者が操作して、静止画表示要求が出力されたことに対応して出力される。
【００２１】
動き検出部２０は、例えば１個あるいは複数個のフレームメモリを内部に備え、１フレームあるいは複数フレーム遅延された映像データと遅延されない映像データとを比較して映像の動きの有無を検出するものとして構成することができるが、他の手法によって動きを検出するものであってもよい。例えば、フィールドメモリを複数個備えて、所定フィールド間で動き検出を行なうようにしてもよい。映像に動きがあるかないかの判定は、所定フレーム間あるいはフィールド間の映像データ間での差が所定レベル以下であるなら動きがないものと判定する。
【００２２】
動き検出部２０の検出結果は、バス１４を介してＭＰＵ１５に供給され、メモリコントローラ１９の動作を制御するために使われる。すなわち、巡回型メモリ２１に記憶された映像データを読み出して表示させようとした際に、映像データに動きがあれば、メモリコントローラ１９は巡回型メモリ２１に記憶された映像データを所定フレーム分順次繰返して出力して映像信号処理部２２に出力するように制御する。また、映像データに動きがないと判定された場合には、巡回型メモリ２１に記憶された映像データのうち１フレームあるいは１フィールドのデータを読み出してこれを映像処理部２２に出力するように制御する。
【００２３】
さらに、受像機１０は、デマルチプレクサ１３から出力されるＴＳ信号をそのまま記録する機能を有しており、記録再生制御部２４と記録媒体２５を備えている。記録再生制御部２４は、ＭＰＵ１５の制御の下に記録媒体２５へＴＳ信号を記録し、記録媒体２５からＴＳ信号を再生する。記録媒体２５は例えばＨＤＤ（Ｈａｒｄ  Ｄｉｓｋ  Ｄｒｉｖｅ）で構成される。
【００２４】
記録媒体へのＴＳ信号の記録は、例えばＥＰＧ（Ｅｌｅｃｔｒｉｃ  Ｐｒｏｇｒａｍ  Ｇｕｉｄｅ）によって実行される。ＥＰＧは、デマルチプレクサ１３で分離されたＳＩ（Ｓｅｒｖｉｃｅ  Ｉｎｆｏｒｍａｔｉｏｎ）に含まれる番組表示情報に基づいてＭＰＵ１５で番組表として構築され、それが映像信号処理部２２で映像データに重畳されて表示部２３で表示される。
【００２５】
視聴者は、表示部２３で表示されるＥＰＧ番組表から、記録したい放送番組をリモートコントローラ１７を操作して選択することができる。選択された番組は、ＭＰＵ１５の制御の下、放送時間になると、その番組のＴＳ信号と、その番組を特定する情報（タイトル等）が、自動的に記憶媒体２５に記録される。また、ＥＰＧは番組の視聴予約にも使われる。ＥＰＧ番組表を構築するための文字、記号等のデータは、バス１４に接続されたメモリ２６に予め蓄積されている。また、メモリ２６には、バス１４を介したネットワーク上の制御を始めとする処理プログラム・コードが格納されている。
【００２６】
また、記憶媒体２５に記憶された番組を再生する場合には、リモートコントローラ１７を操作することで、記憶媒体２５に記録された番組情報を読み出して、表示部２３に記録番組のリストを表示させる。表示されたリストからリモートコントローラの操作によって、再生したい番組を選択することで、その番組のＴＳ信号が記憶媒体２５から読み出され記憶再生制御部２４を介してデマルチプレクサ１３に供給される。デマルチプレクサ１３で番組の映像データ及び音声データが抽出されて、ＭＰＥＧデコーダ１８に供給され、ここで、それらのデータの復号を行って非圧縮のデータにして、メモリコントローラ１９を介して映像信号処理部２２に供給し、映像信号処理部２２で表示するための信号に変換して表示部２３で表示される。この際、メモリコントローラ１９は、映像データを巡回メモリ２１に供給して、順次更新させながら９０フレーム分の映像データを記憶させる。
【００２７】
以上のように構成されたテレビジョン受像機１０の動作を図を参照して説明する。図２及び図３は図１において、例えばリモートコントローラ１７の静止画ボタン１７ａを操作した際に、表示部２３に表示される映像の例を示すものである。
いま、図２（ａ）に示す映像が表示されているときに、リモートコントローラ１７の静止画ボタン１７ａが操作されたとすると、リモートコントローラ１７から入力部１６に信号が送信され、入力部１６はその信号を受信してバス１４を介してＭＰＵ１５に伝送する。ＭＰＵ１５は送られた信号を静止画コマンド信号として復号し、復号した信号をメモリコントローラ１９と動き検出部２０に送る。
【００２８】
メモリコントローラ１９は、ＭＰＵ１５からの静止画コマンド信号を受けて、例えばさらに３０フレーム分の映像データを新たに記憶させてから記憶更新処理を停止する。動き検出部２０は、ＭＰＵ１５からの静止画コマンド信号を受けて、ＭＰＥＧデコーダ１８から供給される映像データに基づいて表示部２３で表示されている映像の動きを検出して、検出結果をＭＰＵ１５に返信する。
【００２９】
動き検出部２０によって、映像に動きがないと判定された場合、ＭＰＵ１５は、メモリコントローラ１９に対して、巡回メモリ２１から所定のタイミングの１フレーム分あるいは１フィールド分の映像データを繰り返し読み出して映像信号処理部２２に導出すると共に、ＭＰＥＧデコーダ１８からの映像データをそのまま映像信号処理部２２に導出するように制御信号を送る。
【００３０】
映像信号処理部２２は、ＭＰＥＧデコーダ１８からの映像データと巡回メモリ２１からの映像データを、同一画面に表示されるように処理して表示部２３に供給し、表示させる。表示部２３には、図２（ｂ）（ｃ）に示すように、画面３１の右半分３１ａに、巡回メモリ２１から読み出された１フレームあるいは１フィールドの映像データに基づく静止映像が継続的に表示され、画面左半分３１ｂにＭＰＥＧデコーダ１８から供給されるリアルタイムの映像データに基づく映像が表示される。
【００３１】
ＭＰＵ１５がメモリコントローラ１９を介して、巡回メモリ２１から読み出される１フレームあるいは１フィールドの映像データは、巡回メモリ２１に順次記憶される映像データのうち、リモートコントローラ１７の静止画ボタン１７ａが操作されてＭＰＵ１５が入力部１６からの信号を受け付けたタイミングと一定の関係を有するものとして、例えば巡回メモリ２１のアドレスによって特定される映像データである。
【００３２】
すなわち、巡回メモリ２１は、例えば９０フレーム分の容量を有しており、リアルタイムに対して常に３秒前の映像データが記憶されているものであるため、ＭＰＵ１５が静止画ボタン１７ａに対応する信号を受けたタイミングに対して、リアルタイムに換算して同じタイミングの静止画を構成する映像データを特定して読み出すことは可能である。このため、メモリコントローラ１９は、ＭＰＵ１５のシステムクロックに同期して映像データのタイミングを制御するタイミングコントローラを備える。
【００３３】
なお、実際には、巡回メモリ２１から読み出される映像データは、静止画ボタン１７ａが押されるタイミングと、リアルタイムに換算して全く同じタイミングのものであるより、若干前のタイミングの映像データの方が好ましい場合もあり、実際の使用状況から実験的に導き出したタイミングに設定することは可能である。
【００３４】
図４は、図２に示す映像が表示される場合、すなわち、動き検出部２０で映像に動きがないと判定された際の、リモートコントローラ１７の静止画ボタン１７ａの操作タイミングと、巡回メモリ２１への映像データの記憶状況及び読み出し状況を模式的に示すタイミングチャートである。図４において、時間ｔ１において、静止画ボタン１７ａが操作されたとすると、メモリコントローラ１７は、それからさらに例えば３０フレーム分の映像データを巡回メモリ２１に記憶させ、時間ｔ２において巡回メモリ２１への新たな映像データの更新処理を停止する。その結果、巡回メモリ２１には、静止画ボタン１７ａが操作された前後で、Ｆ１フレーム（Ｆ１ａフィールドとＦ１ｂフィールド）からＦ９０フレーム（Ｆ９０ａフィールドとＦ９０ｂフィールド）が記憶されることになる。
【００３５】
さらに、図４においてＦｍフレーム（ＦｍａフィールドとＦｍｂフィールド）は、動き検出部２０によって映像に動きがないと判定された結果、ＭＰＵ１５からの制御信号によって、メモリコントローラ１９によって特定された静止画表示用のフレームであり、これがメモリコントローラ１９で継続的に読み出されて、映像信号処理部２２に供給されて図２（ｂ）（ｃ）で示すように表示部２３の画面右側３１ａに表示される。
【００３６】
以上のようにして、リモートコントローラ１７の静止画ボタン１７ａの操作により、視聴中の映像に動きがない場合の静止画表示を的確なタイミングで行わせることができるものである。静止画表示を停止させる場合には、リモートコントローラ１７の静止画ボタン１７ａを再び操作することで、入力部１６からバス１４を介してＭＰＵ１５に信号が送られ、ＭＰＵ１５は、メモリコントローラ１９を制御して巡回型メモリ１９への映像データの書き込みを再開すると共に、映像信号処理部２２を制御して、表示部２３にＭＰＥＧデコーダ１８から供給される映像データに基づく映像のみが表示されるように切換える。
【００３７】
なお、図２では、巡回型メモリ２１から読み出された映像データに基づく映像とＭＰＥＧデコーダ１８からの映像データを同じ画面で表示するように構成したが、巡回型メモリ２１から読み出された静止画表示用のデータに基づく映像のみを表示部２３に表示するように構成してもよいことは述べるまでもない。
【００３８】
次に、リモートコントローラ１７の静止画ボタン１７ａが操作された際に、動き検出部２０が入力映像データに動きがあると判定した場合について説明する。
ＭＰＵ１５は、動き検出部２０からの信号を受けてメモリコントローラ１９に制御信号を送り、巡回型メモリ１９に記憶されている映像データを順次読み出して、映像信号処理部２２に導出させる。すなわち、巡回型メモリ２１に記憶されている例えば９０フレーム分の映像データを繰り返し読み出して映像信号処理部２２に送り、映像信号処理部２２で表示部２３で表示可能とすべく処理を施して、表示部２３で表示させる。
【００３９】
図３は、動き検出部２０で動きがあるものと判定された際に、巡回型メモリ２１から読み出される映像データに基づいて表示部２３で表示される映像の例を示すものである。すなわち、図３（ａ）から図３（ｂ）及び図３（ｃ）と表示が推移し、図３（ｃ）から再び図３（ａ）に戻り、以後その繰り返しとなる。
【００４０】
メモリコントローラ１９を介して、巡回メモリ２１に記憶される９０フレームの映像データは、リモートコントローラ１７の静止画ボタン１７ａが操作されたタイミングから、さらにおよそ３０フレーム分新たに記憶されたものと、静止画ボタン１７ａが操作される前に記憶された６０フレーム分とでなる。
【００４１】
それによって、巡回型メモリ１９からメモリコントローラ１７によって読み出される映像データは、静止画ボタン１７ａが操作されたタイミングを挟んで、過去分のフレーム数を多く含むものとなり、その映像データが繰り返して表示されるために、静止画ボタン１７ａを操作したタイミングで動きの速い映像が表示されていても、表示部２３には、静止画に極めて近い動画として表示されるために、所望のシーンを見逃すという虞がなくなるものである。
【００４２】
図５は、図３に示す映像が表示される場合、すなわち、動き検出部２０で映像に動きがあると判定された際の、リモートコントローラ１７の静止画ボタン１７ａの操作タイミングと、巡回メモリ２１への映像データの記憶状況及び読み出し状況を模式的に示すタイミングチャートである。
【００４３】
図５において、時間ｔ１において、静止画ボタン１７ａが操作されたとすると、メモリコントローラ１７は、それからさらに例えば３０フレーム分の映像データを巡回メモリ２１に記憶させ、時間ｔ２において巡回メモリ２１への新たな映像データの更新処理を停止する。その結果、巡回メモリ２１には、静止画ボタン１７ａが操作された前後で、Ｆ１フレーム（Ｆ１ａフィールドとＦ１ｂフィールド）からＦ９０フレーム（Ｆ９０ａフィールドとＦ９０ｂフィールド）が記憶されることになる。
【００４４】
メモリコントローラ１９はさらに、巡回型メモリ２１に記憶された９０フレームの映像データを順次巡回するように繰り返し読み出して、映像信号処理部２２に送り、映像信号処理部２２で表示手段２３で表示するための信号に変換して表示手段２３に供給し、表示する。
【００４５】
すなわち、リモートコントローラ１７の静止画ボタン１７ａを操作したときに、映像データに動きがあるとすると、前後のフレームの映像データが繰り返して表示されるために、静止画ボタン１７ａを操作したタイミングで動きの速い映像が表示されていても、表示部２３には、静止画に極めて近い動画として表示されるために、所望のシーンを見逃すという虞がなくなるものである。
【００４６】
なお、映像データを所定期間分更新しながら常に記憶させるメモリとしては、図１に示す巡回メモリ２１に限定されるものではなく、例えば、図６に示すように、巡回メモリに代えて、遅延部６１と記憶部６２を設けるようにしてもよい。図６において、図１と同一部分に同一符号を付す。
【００４７】
遅延部６１には、図１に示すＭＰＥＧデコーダ１８からの映像データが供給され、遅延部６１は、その映像データをそのまま映像信号選択／処理部６３に供給すると共に、例えば９０フレーム分の映像データを順次更新しながら蓄積して出力する。
【００４８】
記憶媒体６２は、メモリコントローラ６４の制御によって、遅延部６１に蓄積されている映像データの全てあるいは一部が移されて記憶される。動き検出部６５は、遅延部６１から供給される１フレームあるいは１フィールドの映像データから映像の動きの量を検出してその結果をＭＰＵ１５に導出する。また、映像データ選択／処理部６３は、遅延部６１あるいは記憶媒体６２からの映像データを選択して、それらが同時に画面表示されるようにあるいは、それぞれ単独で表示されるように選択し、かつ処理を行なって表示部２３に供給して表示させる。
【００４９】
図６の実施の形態でも、ＭＰＥＧデコーダからの映像データを表示部２３で表示して視聴している際に、リモートコントローラ１７の静止画ボタン１７ａを操作することによって、入力部１６からＭＰＵ１５に制御信号が供給され、ＭＰＵ１５は動き検出部６５で検出されている映像データの動き量を受付ける。
【００５０】
ＭＰＵ１５は、メモリコントローラ６４を駆動し、動き検出部６５で検出された動き量に応じて、遅延部６１の映像データを所定のタイミングで記憶媒体６２に移す。
すなわち、動き検出部６５で動きが全く検出されないときは、図４に示す処理と同様に、静止画ボタン１７ａが操作されたタイミングと略同じタイミングか、若干早いタイミングのフレームあるいはフィールドデータを記憶媒体６２に移し、動き検出部６５で検出される動き量に応じて、記憶媒体６２に移すフレーム数を増加させる。その際、静止画ボタン１７ａが押されたタイミングより前のフレーム数が後のフレーム数より大きくなるようにする。ＭＰＵ１５は、動き検出部６５で検出された動きが所定値以上の場合には、図５に示す処理と同様に、９０フレーム分の映像データを全て記憶媒体６２に移すようにメモリコントローラ６４を制御する。
【００５１】
記憶媒体６２に移された映像データはメモリコントローラ６４によって繰り返し読み出されて、映像信号処理部６３に供給され、図２あるいは図３で示すように表示される。すなわち、映像データに動きがない場合には、静止画としてリアルタイムの映像と共に表示部２３で表示され、動きがある場合には、その動き量に応じたフレーム数の映像が繰り返し再生されるようになるものである。
【００５２】
この実施の形態においては、映像の動きが少ない場合には、より静止画に近い状態で表示されるので静止画を表示させるという目的に合致した表示を行なわせることができるものである。
なお、この実施の形態においても、必ずしも静止画をリアルタイム映像と一緒に同一画面で表示させる必要はなく、静止画単独で表示するように構成してもよく、静止画仕様の動画にしても単独で表示することの他、リアルタイム映像と一緒に同一画面で表示するように構成してもよいものである。
【００５３】
図７に、図１に示した本発明の映像表示装置の動作を説明するためのフローチャートを示す。図７において、ステップＳ７０１で開始され、ステップＳ７０２で、チューナ／復調部１２で所望番組を受信するか、または、記録媒体２５に記録された所望番組を再生する。次いで、ステップＳ７０３で、受信された番組の映像信号または再生された番組の映像信号を表示部２３で表示すると共に、巡回型メモリ２１に供給する。
【００５４】
次いで、ステップＳ７０４でスチル（ＳＴＩＬＬ）表示要求があったか否か（リモートコントローラ１７の静止画ボタン１７ａが操作されたか否か）の判定がなされ、スチル表示要求があるまでその処理が継続される。ステップＳ７０４によって、スチル表示要求があったことが判定されたら、ステップＳ７０５で、動き検出部２０によって、スチル要求受付け時の、表示映像が動画か静止画かを判別する処理を行なう。
【００５５】
次いで、ステップＳ７０６で動画か否かの判定がなされ、動画でない場合には、ステップＳ７０７に進んで巡回型メモリ２１から静止画映像信号を継続して読み出して表示部２３で表示する。次いで、ステップＳ７０８でスチル表示の解除要求があったか否か（リモートコントローラ１７の静止画ボタン１７ａが再び操作されたか否か）の判定がなされ、スチル解除要求がない場合、ステップＳ７０７に戻って静止画映像の表示を継続する。
【００５６】
ステップＳ７０８でスチル解除要求があったことが判定されたら、ステップＳ７０９で、表示部２３によって表示される映像を巡回型メモリ２１から読み出した映像データに基づく映像から、リアルタイムの映像データに基づく映像に戻し、ステップＳ７１０で処理を終了する。
【００５７】
ステップＳ７０６で動画であることが判定されたら、ステップＳ７１１で巡回型メモリ２１に記憶されている所定期間（９０フレーム）の静止画仕様の動画像信号を繰り返し読み出して表示部２３で表示する。次いで、ステップＳ７１２でスチル表示の解除要求があったか否かの判定がなされ、スチル解除要求がない場合、ステップＳ７１１に戻って静止画仕様の動画映像の表示を継続する。
【００５８】
ステップＳ７１２でスチル解除要求があったことが判定されたら、ステップＳ７０９に移り、表示部２３によって表示される映像を巡回型メモリ２１から読み出した映像データに基づく映像から、リアルタイムの映像データに基づく映像に戻し、ステップＳ７１０で処理を終了する。
【００５９】
次に、図６に示す実施の形態での動作を図８のフローチャートに示す。図８において、ステップＳ８０１で開始され、ステップＳ８０２で、チューナ／復調部１２で所望番組を受信するか、または、記録媒体２５に記録された所望番組を再生する。次いで、ステップＳ８０３で、受信された番組の映像信号または再生された番組の映像信号を表示部２３で表示すると共に、遅延部６１で遅延する。
【００６０】
次いで、ステップＳ８０４でスチル（ＳＴＩＬＬ）表示要求があったか否か（リモートコントローラ１７の静止画ボタン１７ａが操作されたか否か）の判定がなされ、スチル表示要求があるまでその処理が継続される。ステップＳ８０４によって、スチル表示要求があったことが判定されたら、ステップＳ８０５で、動き検出部２０によって、スチル要求受付け時の表示映像の動き量を検出する。次いで、ステップＳ８０６で、ステップＳ８０５で検出した動き量に対応するフレームあるいはフィールド数の映像データを記憶媒体６２に移す。次いで、ステップＳ８０７で、記憶媒体６２に移された映像データを継続的に繰り返し読み出して、表示部２３で表示する。
【００６１】
次いで、ステップＳ８０８でスチル表示の解除要求があったか否か（リモートコントローラ１７の静止画ボタン１７ａが再び操作されたか否か）の判定がなされ、スチル解除要求がない場合、ステップＳ８０７に戻って記憶媒体６２から読み出した映像データに基づく映像の表示を継続する。
【００６２】
ステップＳ８０８でスチル解除要求があったことが判定されたら、ステップＳ８０９で、表示部２３によって表示される映像を記憶媒体６２から読み出した映像データに基づく映像から、リアルタイムの映像データに基づく映像に戻し、ステップＳ８１０で処理を終了する。
【００６３】
本発明の、映像表示装置は、以上説明したように、表示している映像の映像データを巡回メモリに記憶するか遅延部で遅延させておき、リモートコントローラ１７の静止画ボタン１７ａを操作した際に、表示部２３で表示している映像に動きがあるか否かを判別して、動きがあると判定された場合に、巡回メモリの映像データあるいは、遅延部の映像データを記憶媒体に移したデータに基づく静止画仕様の動画映像を表示させ、動きがないと判定された際には、巡回メモリあるいは記憶媒体から静止画映像データを継続的に読み出して静止画として表示するように構成したことにより、リモートコントローラ１７の静止画ボタン１７ａを操作した際に、目的の映像を的確に表示させることができるものである。
【００６４】
なお、ＭＰＥＧデコーダ１８からの映像データと映像の動きとの関係を考えると、例えば９０フレーム期間においては、例えば静止画であるなら、当然ながら動きはなく、９０フレームの映像の全てをそのまま継続的に繰返しても、静止画として表示される可能性が高く、９０フレーム中の一部のフレームあるいはフィールドを抽出して継続的に表示させた場合と、表示の結果としては大差ないように思われる。
【００６５】
そこで、図１あるいは、図６の回路ブロックにおいて、動き検出部２０及び６５を削除することも可能である。図９は図１に示す回路ブロック図から動き検出部２０を削除したものである。各構成部の詳細な説明は省略する。
図９に回路では、リモートコントローラ１７の静止画ボタン１７ａが操作されると、ＭＰＵ１５は、メモリコントローラ１９を駆動して、巡回型メモリ２１にさらに新たに例えば３０フレームの映像データを記憶させてからデータの更新を停止させ、巡回型メモリ２１に静止画ボタン１７ａを操作したタイミングの前後の９０フレームの映像データを記憶させる。その後、巡回型メモリ２１に記憶された９０フレームの映像データを継続的に繰り返し読み出して、映像処理部２２で処理し、表示部２３で表示させる。
【００６６】
それによって、巡回型メモリ２１に記憶された映像データが静止画であるなら、静止画として表示され、動きがある映像であれば、静止画仕様の動画として表示されるものである。
また、図１０は、図６に示す回路ブロック図から動き検出部６５を削除したものである。各構成部の詳細な説明は省略する。図１０において、リモートコントローラ１７の静止画ボタン１７ａを操作すると、ＭＰＵ１５は、メモリコントローラ６４を駆動して、遅延部６１の映像データを所定のタイミングで全て記憶媒体６２に移す。記憶媒体６２に移すタイミングは、図５に示すように、９０フレームの映像データが静止画ボタン１７ａが操作されたタイミングの前後のフレーム（前のフレーム＞後のフレーム）で構成されるタイミングである。
【００６７】
それによって、記憶媒体６２に記憶された映像データが静止画であるなら、静止画として表示され、動きがある映像であれば、静止画仕様の動画として表示されるものである。
以上のように、本発明の映像表示装置によれば、表示部２３で映像を表示してそれを視聴中に、リモートコントローラ１７の静止画ボタンを操作すると、そのときに表示部２３で静止画が表示されていれば、静止画が表示され、動画が表示されていれば、所定期間（例えば９０フレーム）の映像を継続的に繰返して表示する静止画仕様の動画を表示するようにしたので、映像の内容を確実に確認することができるものである。
【００６８】
本発明の、映像表示装置は、以上述べた構成、動作に限定されるものではなく、趣旨を逸脱しない範囲で、適用可能である。例えば、静止画ボタンを操作した際に、静止画仕様の動画が表示されている際に、例えば再度静止画ボタンを操作することで、表示されている動画の特定の映像を静止画として選択して表示するように構成することもできる。
【００６９】
図１１は、静止画仕様の動画から静止画を表示させための処理を説明するためのフローチャートである。なお図１１のフローチャートは、図７のフローチャートに対して、ステップＳ７１１に対応するステッブＳ１１０１と、ステップＳ７１２に対応するステップＳ１１０３の間に、ステップＳ１１１２を配置して、ステップＳ１１１１によって静止画仕様の動画が表示されている状態において、ステップＳ１１２でスチル表示要求があったことが判定されたら、ステップＳ１１０７に移って、巡回型メモリ２１から静止画信号を読み出して、表示部２３で表示させるものである。
【００７０】
繰り返し静止画仕様の動画表示されている状態においては、予測等を駆使して好みの映像が表示されるタイミングを特定することは比較的簡単で、そのタイミングで静止画ボタンを操作することは容易に行なうことができるものである。よって、図１１に示すように構成することにより、静止画仕様の動画でなく、常に静止画を表示させることができるようになるものである。
【００７１】
【発明の効果】
以上のように、本発明の映像表示装置によれば、静止画表示要求を行なった際に、静止画像あるいは、所定期間で繰り返し表示される静止画仕様の動画像を表示するように構成したので、映像の内容を的確に確認することができるようになるものである。
【図面の簡単な説明】
【図１】本発明に係る映像表示装置の一実施の形態を示す回路構成図。
【図２】図１に示すの装置の動作を説明するための構成図。
【図３】図１に示す装置の動作を説明するための構成図。
【図４】図１に示す装置の要部の動作を説明するための構成図。
【図５】図１に示す装置の要部の動作を説明するためたの構成図。
【図６】本発明に係る映像表示装置の他の実施の形態を示す回路構成図。
【図７】図１に示す装置の動作を説明するためのフローチャート。
【図８】図６に示す装置の動作を説明するためのフローチャート。
【図９】本発明に係る映像表示装置のさらに他の実施の形態を示す回路構成図。
【図１０】本発明に係る映像表示装置のさらに他の実施の形態を示す回路構成図。
【図１１】本発明に係る映像表示装置の他の実施の形態の動作を説明するためのフローチャート。
【符号の説明】
１０…テレビジョン受像機
１１…アンテナ入力端子
１２…チューナ／復調部
１３…デマルチプレクサ
１４…バス
１５…ＭＰＵ
１６…入力部
１７…リモートコントローラ
１８…ＭＰＥＧデコーダ
１９，６４…メモリコントローラ
２０，６５…動き検出部
２１…巡回型メモリ
２２…映像信号処理部
２３…表示部
６１…遅延部
６２…記憶媒体
６３…映像信号選択／処理部
【図１】
2004357054.tif 000003
【図２】
2004357054.tif 000004
【図３】
2004357054.tif 000005
【図４】
2004357054.tif 000006
【図５】
2004357054.tif 000007
【図６】
2004357054.tif 000008
【図７】
2004357054.tif 000009
【図８】
2004357054.tif 000010
【図９】
2004357054.tif 000011
【図１０】
2004357054.tif 000012
【図１１】
2004357054.tif 000013